(57)【特許請求の範囲】
【請求項１】
アンテナを接続するための複数のアンテナ接続端子（１ａ〜１ｄ）を有し、該複数のアンテナ接続端子に接続された複数のアンテナを用いて基地局との間で無線通信を行なう移動体端末（１）の動作試験を、前記複数のアンテナ接続端子に信号送受信用のケーブルを接続した状態で行なう移動体端末試験装置において、
前記移動体端末の試験に必要なダウンリンク信号を生成出力するとともに、前記移動体端末の前記アンテナ接続端子から出力されるアップリンク信号を受信する送受信部（２１）と、
前記送受信部と前記移動体端末との間が仮想的にアンテナを介して接続された状態となるように、前記送受信部が生成したダウンリンク信号を前記移動体端末の前記アンテナ接続端子に入力させ、該移動体端末の前記アンテナ接続端子から出力されるアップリンク信号を前記送受信部に入力させるアンテナ接続模擬部（２２）と、
前記移動体端末の特定のアンテナ接続端子から出力されて前記送受信部に入力されるアップリンク信号から、前記無線通信に不要な信号であるアップリンク不要信号を抽出するアップリンク不要信号抽出部（４０）と、
前記アップリンク不要信号抽出部で抽出されたアップリンク不要信号を、前記特定のアンテナ接続端子以外のアンテナ接続端子に与えるダウンリンク信号に加算合成する信号加算部（２７〜３０）とを備えたことを特徴とする移動体端末試験装置。
【請求項２】
前記ダウンリンク信号に加算する前記アップリンク不要信号のレベルを可変するレベル可変手段（４５）を設けたことを特徴とする請求項１記載の移動体端末試験装置。
【請求項３】
前記アップリンク不要信号抽出部は、
前記アップリンク信号から、前記無線通信に不要な信号で、且つ、前記ダウンリンク信号が出力されるダウンリンク周波数帯に入る信号を前記アップリンク不要信号として抽出するように構成されていることを特徴とする請求項１または請求項２記載の移動体端末試験装置。
【請求項４】
アンテナを接続するための複数のアンテナ接続端子（１ａ〜１ｄ）を有し、該複数のアンテナ接続端子に接続された複数のアンテナを用いて基地局との間で無線通信を行なう移動体端末（１）の動作試験を、前記複数のアンテナ接続端子に信号送受信用のケーブルを接続した状態で行なう移動体端末試験方法において、
前記移動体端末の特定のアンテナ接続端子から出力されたアップリンク信号を受信する段階と、
前記アップリンク信号から前記無線通信に不要な信号であるアップリンク不要信号を抽出する段階と、
前記抽出されたアップリンク不要信号を、前記複数のアンテナ接続端子のうち前記特定のアンテナ接続端子以外のアンテナ接続端子に与えるダウンリンク信号に加算合成する段階とを含むことを特徴とする移動体端末試験方法。
【請求項５】
前記アップリンク不要信号を抽出する段階は、
前記アップリンク信号から、前記無線通信に不要な信号で、且つ、前記ダウンリンク信号が出力されるダウンリンク周波数帯に入る信号を前記アップリンク不要信号として抽出することを特徴とする請求項４の移動体端末試験方法。
【発明の詳細な説明】
【技術分野】
【０００１】
本発明は、携帯電話やスマートフォン等の移動体端末との間で基地局と同様の通信を行い、移動体端末の試験を行なう移動体端末試験装置において、移動体端末に対してケーブル接続環境で、アンテナ接続環境におけるアップリンク信号に含まれる高調波や相互変調波等の移動体端末の受信に影響を与える不要信号がダウンリンク信号に回り込んだ状況を再現させるための技術に関する。
【背景技術】
【０００２】
移動体端末の試験を行なう場合、実際の使用環境と同様に試験装置と移動体端末とが互いのアンテナを介して通信を行なうアンテナ接続環境と、試験装置の信号端子と移動体端末のアンテナ接続端子の間をケーブル接続して通信を行なうケーブル接続環境とがある。
【０００３】
図６は、異なる周波数帯でそれぞれ送受信を行なうキャリアアグリゲーション（ＣＡ）方式に対応した移動体端末１をアンテナ接続環境で試験する場合のシステム例を示すものであり、移動体端末１の一つのアンテナ接続端子（送受兼用とする）１ａには第１周波数帯用のアンテナ２ａが接続され、別のアンテナ接続端子（送受兼用とする）１ｂには第２周波数帯用のアンテナ２ｂが接続され、これを試験する試験装置１０側にも、信号端子１０ａに第１周波数帯送信用のアンテナ１２ａが接続され、信号端子１０ｂに第２周波数帯送信用のアンテナ１２ｂが接続され、信号端子１０ｃに第１周波数帯受信用のアンテナ１２ｃが接続され、信号端子１０ｄに第２周波数帯受信用のアンテナ１２ｄが接続されている。
【０００４】
そして、試験装置１０は、送受信部１１で生成した第１周波数帯のダウンリンク信号ＤＬ１を、アンテナ１２ａを介して放射し、第２周波数帯のダウンリンク信号ＤＬ２を、アンテナ１２ｂを介して放射する。
【０００５】
移動体端末１は、ダウンリンク信号ＤＬ１、ＤＬ２をアンテナ２ａ、２ｂで受信し、ダウンリンク信号ＤＬ１に応答する第１周波数帯のアップリンク信号ＵＬ１を、アンテナ２ａを介して放射するとともに、ダウンリンク信号ＤＬ２に応答する第２周波数帯のアップリンク信号ＵＬ２を、アンテナ２ｂを介して放射する。
【０００６】
試験装置１０の送受信部１１は、移動体端末１のアンテナ２ａ、２ｂから出力されたアップリンク信号ＵＬ１、ＵＬ２を、アンテナ１２ｂ、１２ｃを介して受信し、周波数変換処理および復調処理などを行なう。試験装置１０は、この復調結果に基づき、移動体端末１の動作を調べる。
【０００７】
上記したアンテナ接続環境の場合、外来信号の影響を排除するために、試験装置１０のアンテナ１２ａ〜１２ｄと移動体端末１（アンテナ２ａ、２ｂを含む）とを、外部に対して電磁的にシールドされ、且つ内部での不要な反射が無い空間（電波暗箱）に設置する必要があり、システムが大掛かりとなる。また、試験環境内での信号減衰の程度等を定量的に正しく把握することが困難で、正確な測定が行なえないという問題がある。
【０００８】
これに対し、試験装置と移動体端末とをケーブルで接続して通信を行なうケーブル接続環境では、外来信号や空間反射の影響を受けず、信号減衰の程度もケーブルの減衰量等から正確に把握でき、正確な測定が可能である。
【０００９】
上記移動体端末１の試験をケーブル接続環境で行なう場合、図７に示す試験装置１０′のように、送受信部１１と信号端子１０ａ、１０ｂの間にアンテナ接続模擬部１３を設ける。
【００１０】
アンテナ接続模擬部１３は、送受信部１１から出力されたダウンリンク信号ＤＬ１、ＤＬ２をそれぞれ分配器１４、１５でそれぞれ２つの信号（ＤＬ１ａ，ＤＬ１ｂ）、（ＤＬ２ａ，ＤＬ２ｂ）に分け、その分けた信号の一つずつの組合せを合成器１６、１７で加算合成して、アンテナ接続環境において移動体端末１の一方のアンテナ２ａで受信される受信信号と同等の合成信号ＤＬＡ（＝ＤＬ１ａ＋ＤＬ２ｂ）と、他方のアンテナ２ｂで受信される受信信号と同等の合成信号ＤＬＢ（＝ＤＬ１ｂ＋ＤＬ２ａ）を生成する。
【００１１】
そして、この合成信号ＤＬＡ、ＤＬＢを、それぞれサーキュレータ１８、１９、信号端子１０ａ、１０ｂおよびケーブルＣａ、Ｃｂを介して移動体端末１のアンテナ接続端子１ａ、１ｂに入力させ、移動体端末１のアンテナ接続端子１ａ、１ｂから出力されるアップリンク信号ＵＬ１、ＵＬ２を、サーキュレータ１８、１９を介して送受信部１１に入力させ、受信復調させる。
【００１２】
このように構成された試験装置１０′であれば、基地局と移動体端末との間で行なわれる通信をアンテナ接続環境と同等の条件で試験することが可能である。
【００１３】
ところが、移動体端末１のアンテナ２ａ、２ｂは極めて近い位置にあるので、その一方のアンテナから放射されたアップリンク信号が他方のアンテナを介して端末内に回り込む現象が発生する。
【００１４】
ここで、図８の（ａ）のように、周波数帯Ｂ１のアップリンク信号ＵＬ１（基本波成分ＵＬ１ｒ）に含まれる高調波成分ＵＬ１ｈがアンテナ間結合によって回り込み、その回り込み成分ＵＬ１ｈ′が、図８の（ｂ）のように、周波数帯Ｂ２のダウンリンク信号ＤＬ２に重なる、あるいは近接する場合がある。ここで、受信試験におけるダウンリンク信号ＤＬ２のレベルは、アップリンク信号に比べて格段に低く、その高調波の回り込み成分のレベルも十分高いため、その回り込み成分によりダウンリンク信号の受信品質が低下する恐れがある。
【００１５】
このような受信品質の低下は試験環境によるものではなく、移動体端末自体のアンテナ間結合によるものであるので、移動体端末の動作を評価する一つの項目となる。
【００１６】
しかし、上記構成の試験装置１０′では、移動体端末１の複数のアンテナ間の結合による信号回り込みの状況を再現することができないという問題がある。
【００１７】
携帯電話等の通信機器における規格を定めている３ＧＰＰ規格には、このような移動体端末のアンテナ間結合に関する測定システムについて規定されていないが、適用可能な技術として、非特許文献１の３ＧＰＰ  ＴＳ  ３６．５０８  Ｖ１２．８．０の４９０ページには、移動体端末へのダウンリンク信号に、信号発生器で生成した妨害波（変調波や搬送波）を加算して、移動体端末に与える構成が示されている。
【先行技術文献】
【非特許文献】
【００１８】
【非特許文献１】３ＧＰＰ  ＴＳ  ３６．５０８  Ｖ１２．８．０  ｐ４９０
【発明の概要】
【発明が解決しようとする課題】
【００１９】
上記非特許文献１の技術を用い、移動体端末が出力するアップリンク信号に含まれる高調波や相互変調波等の移動体端末と基地局との間の通信を妨害する信号を模擬した信号を信号発生器で生成して、ダウンリンク信号に加えて移動体端末に与える構成が考えられる。
【００２０】
しかしながら、このような構成では、移動体端末自身が出力したアップリンク信号と全く相関のない信号を用いることになり、移動体端末自身が実際に出力したアップリンク信号による影響を正しく把握することが困難である。
【００２１】
本発明は、この課題を解決し、基地局との間で複数のアンテナを用いて信号の授受を行なう方式に対応した移動体端末のアンテナ間の結合による動作への影響を、ケーブル接続環境で正確に把握できる移動体端末試験装置および試験方法を提供することを目的としている。
【課題を解決するための手段】
【００２２】
前記目的を達成するために、本発明の請求項１の移動体端末試験装置は、
アンテナを接続するための複数のアンテナ接続端子（１ａ〜１ｄ）を有し、該複数のアンテナ接続端子に接続された複数のアンテナを用いて基地局との間で無線通信を行なう移動体端末（１）の動作試験を、前記複数のアンテナ接続端子に信号送受信用のケーブルを接続した状態で行なう移動体端末試験装置において、
前記移動体端末の試験に必要なダウンリンク信号を生成出力するとともに、前記移動体端末の前記アンテナ接続端子から出力されるアップリンク信号を受信する送受信部（２１）と、
前記送受信部と前記移動体端末との間が仮想的にアンテナを介して接続された状態となるように、前記送受信部が生成したダウンリンク信号を前記移動体端末の前記アンテナ接続端子に入力させ、該移動体端末の前記アンテナ接続端子から出力されるアップリンク信号を前記送受信部に入力させるアンテナ接続模擬部（２２）と、
前記移動体端末の特定のアンテナ接続端子から出力されて前記送受信部に入力されるアップリンク信号から、前記無線通信に不要な信号であるアップリンク不要信号を抽出するアップリンク不要信号抽出部（４０）と、
前記アップリンク不要信号抽出部で抽出されたアップリンク不要信号を、前記特定のアンテナ接続端子以外のアンテナ接続端子に与えるダウンリンク信号に加算合成する信号加算部（２７〜３０）とを備えたことを特徴とする。
【００２３】
また、本発明の請求項２の移動体端末試験装置は、請求項１記載の移動体端末試験装置において、
前記ダウンリンク信号に加算する前記アップリンク不要信号のレベルを可変するレベル可変手段（４５）を設けたことを特徴とする。
【００２４】
また、本発明の請求項３の移動体端末試験装置は、請求項１または請求項２記載の移動体端末試験装置において、
前記アップリンク不要信号抽出部は、
前記アップリンク信号から、前記無線通信に不要な信号で、且つ、前記ダウンリンク信号が出力されるダウンリンク周波数帯に入る信号を前記アップリンク不要信号として抽出するように構成されていることを特徴とする。
【００２５】
また、本発明の請求項４の移動体端末試験方法は、
アンテナを接続するための複数のアンテナ接続端子（１ａ〜１ｄ）を有し、該複数のアンテナ接続端子に接続された複数のアンテナを用いて基地局との間で無線通信を行なう移動体端末（１）の動作試験を、前記複数のアンテナ接続端子に信号送受信用のケーブルを接続した状態で行なう移動体端末試験方法において、
前記移動体端末の特定のアンテナ接続端子から出力されたアップリンク信号を受信する段階と、
前記アップリンク信号から前記無線通信に不要な信号であるアップリンク不要信号を抽出する段階と、
前記抽出されたアップリンク不要信号を、前記複数のアンテナ接続端子のうち前記特定のアンテナ接続端子以外のアンテナ接続端子に与えるダウンリンク信号に加算合成する段階とを含むことを特徴とする。
【００２６】
また、本発明の請求項５の移動体端末試験方法は、請求項４の移動体端末試験方法において、
前記アップリンク不要信号を抽出する段階は、
前記アップリンク信号から、前記無線通信に不要な信号で、且つ、前記ダウンリンク信号が出力されるダウンリンク周波数帯に入る信号を前記アップリンク不要信号として抽出することを特徴とする。
【発明の効果】
【００２７】
このように、本願発明では、移動体端末の特定のアンテナ接続端子から出力されたアップリンク信号から、前記無線通信に不要な信号であるアップリンク不要信号を抽出し、これを移動体端末の特定のアンテナ接続端子以外のアンテナ接続端子に与えるダウンリンク信号に加算合成している。
【００２８】
このため、特定のアンテナ接続端子から出力されたアップリンク信号に含まれる無線通信に不要な信号であるアップリンク不要信号を移動体端末の別のアンテナ接続端子に与えることができ、ケーブル接続環境において、移動体端末のアンテナ結合時の状態を再現して精度の高い試験を行なうことができる。
【００２９】
また、ダウンリンク信号に加算するアップリンク不要信号のレベルを可変するレベル可変手段を設けているので、そのレベル可変によりアンテナ間の結合度の違いを模擬することができ、それによる移動体端末の動作の変化を容易に把握できる。
【図面の簡単な説明】
【００３０】
【図１】本発明の実施形態の構成図
【図２】本発明の実施形態の要部の構成図
【図３】本発明の実施形態の要部の構成図
【図４】本発明の別の実施形態の構成図
【図５】本発明の別の実施形態の構成図
【図６】アンテナ接続環境の試験システムを示す図
【図７】ケーブル接続環境の試験システムを示す図
【図８】移動体端末のアンテナ間結合の影響を説明するための図
【発明を実施するための形態】
【００３１】
以下、図面に基づいて本発明の実施の形態を説明する。
図１は、本発明を適用した移動体端末試験装置（以下、単に試験装置と記す）２０の構成を示している。
【００３２】
この試験装置２０は、基地局との間で２つの異なる周波数帯Ｂ１、Ｂ２を用いて送受信を行なうＣＡ（キャリアアグリゲーション）等の通信方式に対応した移動体端末１を試験対象とするものであり、最も簡易な構成例として、移動体端末１には、周波数帯Ｂ１の信号を送受信するアンテナを接続するためのアンテナ接続端子１ａと周波数帯Ｂ２の信号を送受信するアンテナを接続するためのアンテナ接続端子１ｂが設けられているものとする。
【００３３】
また、周波数帯Ｂ１は、例えばＦＤＤ方式の運用バンド３として割り当てられている１７１０〜１７８５ＭＨｚ（アップリンク）、１８０５〜１８８０ＭＨｚ（ダウンリンク）であり、周波数帯Ｂ２は、ＴＤＤ方式の運用バンド４２として割り当てられている３４００〜３６００（アップリンク、ダウンリンク共通）等であるが、その組合せは任意である。また、ここでは、二つの周波数帯について送受信兼用の２種類のアンテナ用いる移動体端末１を試験対象としているが、一つの周波数帯のみを使用し、送受信兼用、受信専用、送信専用等を含めて複数のアンテナを用いる方式であってもよい。
【００３４】
この移動体端末１を試験する試験装置２０には、移動体端末１の試験に必要な二つの異なる周波数帯Ｂ１、Ｂ２のダウンリンク信号ＤＬ１、ＤＬ２を生成出力するとともに、移動体端末１の二つのアンテナ接続端子１ａ、１ｂから出力されるアップリンク信号ＵＬｌ、ＵＬ２を受けて受信復調する送受信部２１と、送受信部２１から出力されるダウンリンク信号ＤＬ１、ＤＬ２を移動体端末１の２つのアンテナ接続端子１ａ、１ｂに与えるとともに、移動体端末１の２つのアンテナ接続端子１ａ、１ｂから出力されるアップリンク信号ＵＬｌ、ＵＬ２を送受信部２１に入力させることで、アンテナ接続環境と同等の状態を模擬するアンテナ接続模擬部２２とを有している。
【００３５】
このアンテナ接続模擬部２２は、ダウンリンク信号ＤＬ１、ＤＬ２を分配器２３、２４によりそれぞれ移動体端末１のアンテナ接続端子数（この場合２）に分け、その分けたダウンリンク信号（ＤＬ１ａ，ＤＬ１ｂ）、（ＤＬ２ａ，ＤＬ２ｂ）から一つずつ選んで組合せたダウンリンク信号の組（ＤＬ１ａ，ＤＬ２ｂ）、（ＤＬ１ｂ，ＤＬ２ａ）を合成器２７、２８により加算し、アンテナ接続環境において移動体端末１の各アンテナ２ａ、２ｂが受信する信号を生成する。
【００３６】
なお、これらの合成器２７、２８は、上記のダウンリンク信号合成機能の他に、後述するアップリンク不要信号ＵＬ１ｐ、ＵＬ２ｐを、ダウンリンク信号に加算合成する本発明の信号合成部を兼ねている。
【００３７】
合成器２７、２８から出力される合成信号ＤＬＡ、ＤＬＢは、サーキュレータ３１、３２、信号端子２０ａ、２０ｂおよびケーブルＣａ、Ｃｂを介して移動体端末１のアンテナ接続端子１ａ、１ｂにそれぞれ入力される。
【００３８】
一方、移動体端末１のアンテナ接続端子１ａ、１ｂから出力されるアップリンク信号ＵＬ１、ＵＬ２は、ケーブルＣａ、Ｃｂ、信号端子２０ａ、２０ｂおよびサーキュレータ２９、３０を介して、送受信部２１に入力される。
【００３９】
送受信部２１によるダウンリンク信号の出力およびアップリンク信号の受信復調は、制御部３５によって制御される。制御部３５は、操作部３６の操作により予め指定された各種パラメータや試験項目にしたがって送受信部２１を制御し、試験対象の移動体端末１との間のリンク確立処理（呼接続処理）を行い、各種試験を実行させ、その試験結果等を表示部３７に表示させる。
【００４０】
なお、上記分配器２３、２４、合成器２７、２８、サーキュレータ３１、３２、ケーブルＣａ、Ｃｂ、後述のアップリンク不要信号抽出部４０等の損失は既知とし、制御部３５は、これら既知の損失を考慮して、ダウンリンク信号の出力レベル、アップリンク不要信号等、試験に必要な信号のレベル管理を行なうものとする。
【００４１】
この試験装置２０には、移動体端末１のアンテナ間の結合によるアップリンク信号の回り込みを再現するために、アップリンク不要信号抽出部４０が設けられている。
【００４２】
アップリンク不要信号抽出部４０は、移動体端末１の複数のアンテナ接続端子１ａ、１ｂのうち、アップリンク信号を出力する特定（この場合、両方）のアンテナ接続端子１ａ、１ｂから出力されて送受信部２１に入力されるアップリンク信号ＵＬ１、ＵＬ２に含まれる高調波や相互変調波等の移動体端末と基地局との通信には不要な信号であるアップリンク不要信号ＵＬ１ｐ、ＵＬ２ｐを抽出する。
【００４３】
このアップリンク不要信号抽出部４０は、基本的には、図２に示しているように、アップリンク信号ＵＬ１、ＵＬ２から無線通信に必要な基本波成分を除去して不要波成分のみを出力するフィルタ４１、４２と、増幅器４３、４４とで構成されている。
【００４４】
ここで、フィルタ４１、４２の最も単純な構成例としては、アップリンク信号の基本波のみを除去しその他の周波数成分を通過させるバンドリジェクションフィルタ（ＢＲＦ）が使用できる。また、アップリンク信号の基本波より高い周波数成分がダウンリンク信号の受信に影響を与えることがわかっている場合には、アップリンク信号の基本波より高い周波数成分のみを通過させるハイパスフィルタ（ＨＰＦ）が使用でき、逆に、アップリンク信号の基本波より低い周波数成分がダウンリンク信号の受信に影響を与えることがわかっている場合には、アップリンク信号の基本波より低い周波数成分のみを通過させるローパスフィルタ（ＬＰＦ）が使用できる。
【００４５】
上記構成例は、アップリンク信号の基本波成分を除いた広い周波数帯域に存在するアップリンク不要信号を抽出しているが、受信に大きな影響を与えることが予想されるのは、ダウンリンク信号と重なる、あるいは、それに近い信号成分であり、これはダウンリンク信号が出力されるダウンリンク周波数帯に入る不要信号成分であるといえる。
【００４６】
したがって、上記フィルタ４１、４２として、アップリンク信号から、無線通信に不要な信号で、且つ、ダウンリンク周波数帯に入る信号成分のみをアップリンク不要信号として選択的に抽出するものを用いれば効果的である。ダウンリンク周波数帯が固定であれば、その周波数帯の信号成分のみを通過させる周波数固定型のバンドパスフィルタを用いればよい。
【００４７】
ただし、試験条件によって、アップリンクやダウンリンクで用いる周波数帯が変わる場合がある。それに対応するためには、周波数可変型のフィルタを用いればよい。
【００４８】
図３にその一例を示す。このフィルタ４１、４２は、第１の周波数変換器４１ａ、４２ａ、バンドパスフィルタ（ＢＰＦ）４１ｂ、４２ｂ、第２の周波数変換器４１ｃ、４２ｃによって構成されている。
【００４９】
第１の周波数変換器４１ａ、４２ａは、入力されるアップリンク信号ＵＬ１、ＵＬ２に含まれる不要信号成分のうち、ダウンリンク周波数帯に入る不要信号成分が、バンドパスフィルタ４１ｂ、４２ｂの通過帯域内に収まるような周波数のローカル信号を用いて周波数変換処理を行なう。
【００５０】
第２の周波数変換器４１ｃ、４２ｃは、バンドパスフィルタ４１ｂ、４２ｂを通過した信号を、第１の周波数変換器４１ａ、４２ａによる周波数変換前の元の周波数、即ち、ダウンリンク周波数帯に入る周波数に戻すような周波数のローカル信号を用いて周波数変換処理を行なう。
【００５１】
これによって、アップリンク信号ＵＬ１、ＵＬ２に含まれる不要信号成分のうち、ダウンリンク周波数帯に入る不要信号成分だけを抽出することができる。アップリンクやダウンリンクの周波数帯が変更される場合、それに応じて第１の周波数変換器４１ａ、４２ａのローカル信号の周波数および第２の周波数変換器４１ｃ、４２ｃのローカル信号の周波数を変更すればよい。
【００５２】
アップリンク信号ＵＬ１、ＵＬ２から抽出されたアップリンク不要信号は、増幅器４３、４４によって所定レベル（移動体端末１のアップリンク信号に含まれる不要信号の出力レベルに近いレベル）に増幅される。
【００５３】
これらの処理により、アップリンク信号ＵＬ１、ＵＬ２に含まれる高調波や相互変調波等のような移動体端末と基地局との間の通信には不要で、且つ、移動体端末の受信バンド（ダウンリンク周波数帯）に入るアップリンク不要信号ＵＬ１ｐ、ＵＬ２ｐが抽出されることになる。このアップリンク不要信号抽出処理に必要な周波数情報や後述するレベル可変部４５のレベル設定情報は、制御部３５によって設定されるものとする。
【００５４】
抽出されたアップリンク不要信号ＵＬ１ｐ、ＵＬ２ｐは、レベル可変部４５に入力され、そのレベルが、例えば移動体端末１のアンテナ間の結合度（例えば−１０ｄＢ）に対応したレベルに設定されたアップリンク不要信号ＵＬ１ｐ′、ＵＬ２ｐ′が出力される。
【００５５】
ここでは移動体端末１の二つのアンテナ接続端子からアップリンク信号が出力され、その他のアンテナ接続端子が無い場合を想定しているので、一方のアンテナ接続端子から出力されたアップリンク信号から抽出したアップリンク不要信号を他方のアンテナ接続端子に与え、他方のアンテナ接続端子から出力されたアップリンク信号から抽出したアップリンク不要信号を一方のアンテナ接続端子に与えればよいので、アップリンク不要信号はそれぞれ一系列のみあればよい。また、アップリンク信号を出力しない別のアンテナ接続端子がある場合には、分配器を用いて各アップリンク不要信号を複数系統に分岐して、ダウンリンク信号と加算合成する必要がある。
【００５６】
レベル設定された一方のアップリンク不要信号ＵＬ１ｐ′は、アップリンク信号ＵＬ１を出力するアンテナ接続端子１ａ以外のアンテナ接続端子１ｂにダウンリンク信号を与える合成器２８に入力され、他方のアップリンク不要信号ＵＬ２ｐ′は、アップリンク信号ＵＬ２を出力するアンテナ接続端子１ｂ以外のアンテナ接続端子１ａにダウンリンク信号を与える合成器２７に入力される。
【００５７】
この構成により、アンテナ接続端子１ａから出力された第１周波数帯Ｂ１のアップリンク信号ＵＬｌに含まれる高調波や相互変調波等の通信に不要な信号と同等でそのレベルが管理されたアップリンク不要信号ＵＬ１ｐ′が、他のアンテナ接続端子１ｂに入力されるダウンリンク信号に加算合成されて入力され、アンテナ接続端子１ｂから出力された第２周波数帯Ｂ２のアップリンク信号ＵＬ２に含まれる高調波や相互変調波等の通信に不要な信号と同等でそのレベルが管理されたアップリンク不要信号ＵＬ２ｐ′が、他のアンテナ接続端子１ａに入力されるダウンリンク信号に加算合成されて入力されることになる。
【００５８】
このため、アンテナ接続環境において、移動体端末１が一つのアンテナから出力するアップリンク信号に含まれる高調波や相互変調波等の通信に不要な信号が、端末自体のアンテナ間結合により他のアンテナを介して端末内に回り込む現象を精度良く再現することができ、その回り込みの影響によるダウンリンク信号の受信品質の低下を正確に把握できる。
【００５９】
上記した移動体端末１の複数のアンテナ間結合による受信品質への影響は、移動体端末１が通信に用いる周波数帯によって種々変化するが、上記構成の試験装置２０であれば、アンテナ接続環境での移動体端末１の複数のアンテナ間の結合による影響を正確に把握できる。
【００６０】
なお、移動体端末１のアンテナ間結合の程度は経験的に−１０ｄＢ程度と予想されるので、上記のように、各アンテナ接続端子に与えるアップリンク不要信号のレベルを、元のアップリンク信号に含まれる不要信号のレベルに対して、１０ｄＢ程度低く設定した状態で、移動体端末１の受信感度試験などを行い、規定の受信感度が得られるか否かを判定することで、移動体端末１のアンテナ間結合による動作を評価できる。
【００６１】
上記試験装置２０は、異なる二つの周波数帯を用い、一方の周波数帯についての一系列のダウンリンク信号ＤＬ１と他方の周波数帯についての一系列のダウンリンク信号ＤＬ２とを合波して、アンテナ接続環境において、移動体端末１の２つの送受兼用のアンテナが接続されるアンテナ接続端子１ａ、１ｂに入力される信号を模擬的に生成し、これに、アップリンク不要信号を加算合成していたが、本発明はこれに限定されるものではなく、ダウンリンク信号の系列数や、移動体端末のアンテナ接続端子の数に応じて変形可能である。
【００６２】
図４は、移動体端末１が、送受信兼用のアンテナ接続端子１ａ、１ｂの他に、二つの周波数帯Ｂ１，Ｂ２用の受信専用のアンテナ接続端子１ｃ、１ｄを有している場合の試験装置２０の構成例を示している。
【００６３】
この場合、移動体端末１のアンテナ接続端子の数に合わせて、分配器２３、２４の分岐数を４に増やし、４つの合成器２７〜３０を設けるとともに、アップリンク不要信号ＵＬ１ｐ′、ＵＬ２ｐ′を分配器４６、４７によってそれぞれ３分岐する。
【００６４】
そして、合成器２７において、ダウンリンク信号ＤＬ１、ＤＬ２から分岐された信号ＤＬ１ａ、ＤＬ２ａと、アップリンク不要信号ＵＬ２ｐ′から分岐された信号ＵＬ２ｐｃとを加算合成し、その合成信号ＤＬＡを、サーキュレータ３１、信号端子２０ａ、ケーブルＣａを介して移動体端末１のアンテナ接続端子１ａに入力させる。
【００６５】
また、合成器２８において、ダウンリンク信号ＤＬ１、ＤＬ２から分岐された信号ＤＬ１ｂ、ＤＬ２ｂと、アップリンク不要信号ＵＬ１ｐ′から分岐された信号ＵＬ１ｐｃとを加算合成し、その合成信号ＤＬＢを、サーキュレータ３２、信号端子２０ｂ、ケーブルＣｂを介して移動体端末１のアンテナ接続端子１ｂに入力させる。
【００６６】
また、合成器２９において、ダウンリンク信号ＤＬ１、ＤＬ２から分岐された信号ＤＬ１ｃ、ＤＬ２ｃと、アップリンク不要信号ＵＬ１ｐ′、ＵＬ２ｐ′から分岐された信号ＵＬ１ｐａ、ＵＬ２ｐａとを加算合成し、その合成信号ＤＬＣを、信号端子２０ｃ、ケーブルＣｃを介して移動体端末１のアンテナ接続端子１ｃに入力させる。
【００６７】
また、合成器３０において、ダウンリンク信号ＤＬ１、ＤＬ２から分岐された信号ＤＬ１ｄ、ＤＬ２ｄと、アップリンク不要信号ＵＬ１ｐ′、ＵＬ２ｐ′から分岐された信号ＵＬ１ｐｂ、ＵＬ２ｐｂとを加算合成し、その合成信号ＤＬＤを、信号端子２０ｄ、ケーブルＣｄを介して移動体端末１のアンテナ接続端子１ｄに入力させる。
【００６８】
この構成の場合、移動体端末１のアンテナ接続端子１ａから出力されるアップリンク信号ＵＬ１に含まれる相互変調波がそれと同一周波数帯の受信専用のアンテナ接続端子１ｃへ回り込んだ時の影響が大きく、また、アンテナ接続端子１ｂから出力されるアップリンク信号ＵＬ２に含まれる相互変調波がそれと同一周波数帯の受信専用のアンテナ接続端子１ｄへ回り込んだ時の影響が大きく現れるものと予想されるが、本実施形態の試験装置２０であれば、その影響による受信品質の低下を把握することができる。
【００６９】
図５は、ダウンリンク信号の系列数を増やした構成例を示している。この構成例は、一つの周波数帯について二つのダウンリンク信号を用いる方式（例えばＭＩＭＯ方式）に適用できるものであり、送受信部２１から第１周波数帯の二つのダウンリンク信号ＤＬ１、ＤＬ１′を出力し、第２の周波数帯の二つのダウンリンク信号ＤＬ２、ＤＬ２′を出力させる。
【００７０】
これら４系統のダウンリンク信号は、分配器２３〜２６によりそれぞれ４分岐され、その４種類の分岐出力を一つずつ組合せたものと、前記分配器４６、４７によって分岐されたアップリンク不要信号とが、４つの合成器２７〜３０で合成される。
【００７１】
この場合、図４で示した試験装置２０が４つの信号端子２０ａ〜２０ｄから出力する信号ＤＬＡ〜ＤＬＤに、ダウンリンク信号ＤＬ１′、ＤＬ２′の分岐成分が含まれる点が異なるが、それらの信号にアップリンク不要信号が含まれているので、ＣＡとＭＩＭＯ方式を併用した移動体端末１のアンテナ間結合による受信品質への影響を正確に把握することができる。
【００７２】
なお、ダウンリンク信号の系列数がさらに多くなった場合には、それに応じて分配器を増加すればよく、また移動体端末のアンテナ接続端子が多くなった場合には、それに応じて合成器の数を増加させればよい。
【００７３】
また、ここでは、比較的離間した異なる周波数帯（運用バンド）を用いて効率的に通信を行なうために複数のアンテナを用いる方式の移動体端末を試験する場合について説明したが、同一周波数帯を用いたＭＩＭＯ方式や近接する複数の周波数帯を用いた方式の移動体端末を試験する装置についても本発明を適用できる。
【００７４】
この場合、ダウンリンク信号やアップリンク信号は複数系統あっても実際に電波で放射する無線周波数帯が同じか近いので、その無線周波数よりそれぞれ一定値低い周波数帯でダウンリンク信号およびアップリンク不要信号の抽出、分配、合成をデジタル処理によって行ない、それによって得られた合成信号をアナログ信号に変換し、無線周波数へ一括的に周波数変換処理を行なって各信号端子から出力することも可能である。その場合、アンテナ接続模擬部２２、アップリンク不要信号抽出部４０をデジタル処理方式とし、送受信部２１には、デジタル信号のダウンリンク信号の生成処理およびアップリンク信号復調処理を行なう機能と、アンテナ接続模擬部２２と信号端子２０ａ〜２０ｄの間で、Ｄ／Ａ変換、Ａ／Ｄ変換、周波数変換等の処理を行なう機能をもたせればよい。
【符号の説明】
【００７５】
１……移動体端末、１ａ〜１ｄ……アンテナ接続端子、２０……移動体端末試験装置、２１……送受信部、２２……アンテナ接続模擬部、２３〜２６……分配器、２７〜３０……合成器、３１、３２……サーキュレータ、３５……制御部、３６……操作部、３７……表示部、４０……アップリンク不要信号抽出部、４１、４２……フィルタ、４３、４４……増幅器、４５……レベル可変部、４６、４７……分配器
【図１】
0006444328.tif 000002
【図２】
0006444328.tif 000003
【図３】
0006444328.tif 000004
【図４】
0006444328.tif 000005
【図５】
0006444328.tif 000006
【図６】
0006444328.tif 000007
【図７】
0006444328.tif 000008
【図８】
0006444328.tif 000009